(57)【要約】本発明は、側壁（３、４、５、６）、箱の頂部を形成する上壁、及び箱の底部を形成する下壁を備えた、多角形断面を有する段ボールシート材料製の箱（３０、３１）及びブランク（１）に関する。箱の頂部は、上壁に少なくとも１つの切り出された凸部分（２６）を含み、及び底部は、凸部分上に直接位置し、下の箱の凸部分に嵌合されるように配列された、前記凸部分と相補的な形状を有した穴の開いた表面を有する部分（１８）を含む。
2015519268.tif 000002
【特許請求の範囲】
【請求項１】
側壁、箱の頂部を形成する上壁、及び箱の底部を形成する下壁を備え、箱の頂部が、上壁に少なくとも１つの切り出された凸部分を含むこと、及び底部が、凸部分とは反対に位置し、下の箱の凸部分に嵌合されるように底部上に直接配列された、前記凸部分と相補的な形状を有した穴の開いた表面を有する部分を含むことを特徴とする、多角形断面を有した段ボールシート材料製の箱及びブランク。
【請求項２】
凸部分が、一方の側部で、折り曲げることにより変形可能な側部によって前記上壁と隣接した側壁との間の接合ゾーンに接続され、残りの側部で、前記上壁に対して切り出される、上壁で部分的に切り出された舌状部によって形成されることを特徴とする請求項１に記載の箱。
【請求項３】
上壁が、非直線の及び／又は対応する側壁と連続的に一直線になっていない接合線を介して取り付けられたフラップによって、少なくとも部分的に形成され、非一直線部が、箱の形成の際の折り曲げによって変形可能な側部を形成するように、前記凸部分上に直接位置することを特徴とする請求項２に記載の箱。
【請求項４】
上壁が、２つのフラップによって少なくとも部分的に形成され、凸部分が、頂面が箱の内側に向いた平坦化されたΩの形態の線により、対応するフラップに予めカットされることを特徴とする請求項２及び３のいずれか１項に記載の箱。
【請求項５】
下壁及び側壁がトレイによって形成され、上壁がフタによって形成されることを特徴とする請求項１から４のうちのいずれか１項に記載の箱。
【請求項６】
少なくとも２つの凸部分を含み、凸部分が箱の中央に対して対称であることを特徴とする請求項１から５のうちのいずれか１項に記載の箱。
【請求項７】
２つの凸部分の２つの組を含み、２つの組が箱の横軸に対して対称であることを特徴とする請求項１から６のうちのいずれか１項に記載の箱。
【請求項８】
側壁、上壁、及び箱の底部を形成する下壁を備え、上壁が、直線ではなく及び／又は折り曲げ線を形成する残りの線と一直線になっていない線の少なくとも１つの区分を呈する接合線を介して、隣接した側壁の頂部に取り付けられる少なくとも１つのフラップによって、並びに前記箱の形成の際に箱の頂部の表面に対して突出した凸部分を形成するように、非直線の線の前記部分の直接上に又は実質的に上に及び非直線の線の前記部分に近接して前記フラップに部分的に切り出された少なくとも１つの部分によって、形成されること、並びに底が、前記凸部分上に直接位置し前記凸部分と相補的な形状を有した対応する穴の開いた表面の少なくとも１つの部分を含むことを特徴とする、多角形断面を有した箱を形成することを目的とする段ボールシート材料製のブランク又はブランクのセット。
【請求項９】
接合線が、平行で、下壁の前記横壁との接合部から第１の距離ｄに位置する第１の部分、及び下壁の前記接合部から第２の距離ｄ＋ｅに位置する少なくとも第２の部分を含み、ｅが１mmと５mmとの間であることを特徴とする、請求項８に記載のブランク又はブランクのセット。
【請求項１０】
ブランクが、底の下壁を形成する４つのフラップを備え、上壁が、箱の形成の際に凸部を構成するために、ブランクの中央に対して対称な、少なくとも２つの部分的に切り出された部分を含むことを特徴とする請求項８及び９のうちの１項に記載のブランク。
【請求項１１】
箱の底部を形成するための第１のブランク、及び上壁を形成する第２のブランクを含み、前記上壁が、箱の形成の際に凸部を構成するために、第２のブランクの中央に対して対称な少なくとも２つの部分的に切り出された部分を含むことを特徴とする請求項８及び９のうちの１項に記載のブランクのセット。
【請求項１２】
ブランクの横軸に対して対称な、２つの部分的に切り出された部分の２つの組を含むことを特徴とする請求項９から１１のいずれか１項に記載のブランク又はブランクのセット。
【請求項１３】
部分的に切り出された部分が、対応する折り曲げ線とは反対の側部へ頂面が向いた平坦化されたΩの形態の線によって上壁に切り出されることを特徴とする請求項８から１２のいずれか１項に記載のブランク又はブランクのセット。
【請求項１４】
少なくとも部分的に上壁を形成するために２つのフラップを備えることを特徴とする請求項８から１３のいずれか１項に記載のブランク又はブランクのセット。
【発明の詳細な説明】
【技術分野】
【０００１】
分野
本発明は、側壁、箱の頂部を形成する上壁、及び底部を形成する下壁を備えた、多角形断面を有する段ボールシート材料製の箱に関する。
【０００２】
本発明はまた、このような箱を作製するためのブランクに関する。
【０００３】
本発明は、輸送段階で取り扱われる間に互いに対してスライドする傾向があり得る、パレット上に積み重ねることができる箱の分野で、限定的ではないが特に重要な用途を見出だす。
【０００４】
背景
端部上に又は端部に近接して位置決めされた開口部と相互作用する横方向のスタッドを使用して箱が滑り落ちるのを防ぐための箱を中央に揃えるシステムは、既に公知である。
【０００５】
このようなシステムは、壊れやすく繰り返しの取り扱いに耐えられない。
【０００６】
フタがフラップによって形成されるパックもまた、既に公知であり（FR 2 311 717）、フラップのいくつかは底部に配列される切込み形状と相補的な形状を有し、底部も同様に、嵌め合い、そして、その結果として横方向の抑制を可能にするフラップによって形成される。
【０００７】
この実施形態は、単位面積当たりの重量が少ないボード材料に好適ではなく、箱の形成の際に存在する恐れのある不一致のために必ずしも完全に垂直な積み重ねができるとは限らない。
【０００８】
概要
特に、本発明は、一方では、一方の箱のもう一方の箱の頂部での中央揃えを提案し、その結果、使用される中央揃え手段に損傷を与える危険性のない連結及び固定前の滑動及び横方向の位置決めを可能にするため、他方では、箱の単純かつ安価な形成を可能にするため、本発明は、以前よりよく知られているこれらの箱よりも厳密に実用上の要求を満たす段ボールシート材料製の箱を利用可能にすることを提案する。
【０００９】
したがって、本発明により、パレット積載中に、一方の箱をもう一方の箱の頂部に積み重ねるときに箱の何らかの滑動を防ぐことが可能となり、このとき、高価なパレット積載アクセサリ及び追加的な取り扱いを発生させるものの使用が回避されると同時に、単位面積当たりの重量の少ないボード材料の使用が可能となる。
【００１０】
これを達成するために、本発明は特に、側壁、箱の頂部を形成する上壁、及び箱の底部を形成する下壁を備え、箱の頂部が、上壁に少なくとも１つの切り出された凸部分を含むこと、及び、底部が、凸部分上に直接位置し、下の箱の凸部分に嵌合されるように配列された、前記凸部分と相補的な形状を有した対応する穴の開いた表面を有する少なくとも１つの部分を含むことを特徴とする、多角形断面を有した段ボールシート材料製の箱を提案する。
【００１１】
「凸部分」という表現は、上壁の表面に対して僅かに突出するが、実質的に上壁と同じ平面のままである部分を表示するために使用される。
【００１２】
「相補的な形状を有した穴の開いた表面を有する部分」という表現は、一方の箱の水平面でのもう一方の箱に対する長手方向及び横方向の移動の係止を可能にする、くり抜き部に挿入される凸部分の一部がくり抜き部の外縁の少なくとも一部に当接するように寸法取りされた、面のくり抜き部を表示するために使用される。
【００１３】
有利な実施形態では、更に、以下の配置の一方及び／又はもう一方を利用することが可能である。
−  凸部分が、一方の側部で、折り曲げることにより変形可能な側部によって前記上壁と隣接した側壁との間の接合ゾーンに接続され、残りの側部で、前記上壁に対して切り出された、（更に、成形されるときに壁の表面に対して凸状であるか又は数度、例えば３度〜５度傾斜した形状を採るように僅かに持ち上げられる）、上壁に部分的に切り出される舌状部によって形成される。
−  上壁が、直線的でない及び／又は対応する側壁と連続的に一直線になっていない接合線を介して取り付けられたフラップによって、少なくとも部分的に形成され、一直線になっていない部分が、箱の形成の際の折り曲げによって変形可能な側部を形成するように、前記凸部分上に直接位置する。
【００１４】
「連続的に一直線になっていない」という表現は、箱の底部と平行で、箱の底部から第１の距離ｄに位置する（１つ以上に分かれた）第１の部分、及び前記底部から第２の距離ｄ＋ｅに位置する少なくとも１つの第２の部分を備えた、接合線を表示するために使用される。
【００１５】
距離ｄ＋ｅに位置する非直線の接合線及び／又は１つ以上の非一直線部は、凸状となる部分上に直接又は実質的に直接、外側へと延びる。
【００１６】
フラップの折り曲げの際に、この非一直線は、その部分の凸状を機械的に作り出す。
【００１７】
したがって、換言すれば、フラップが折り畳まれて接着結合によって固着されるときに、直線的でない又は非一直線の接合線に関する寸法特性は、前記切り出された部分の反対側へのねじれ及び／又は起立及び／又は凸状をもたらす。
【００１８】
有利には、ｅは、段ボールの厚さの４分の１と１との間であり、例えば前記厚さの半分に等しく、例えばｅは０．５mmと４mmとの間である。
−  下壁及び側壁はトレイによって形成され、上壁はフタによって形成される。
−  箱は、８つの側部、すなわち４つの主要な側壁、及び切り取られた角を形成する４つの中間の側壁を有する。
−  箱は少なくとも２つの凸部分を含み、凸部分は箱の中央に対して対称である。
−  箱は２つの凸部分を二組含み、それらは箱の横軸に対して対称である。
−  上壁は、２つのフラップによって少なくとも部分的に形成され、凸部分は、頂面が箱の内側に向いた平坦化されたΩの形態の線により、対応するフラップに予めカットされる。
【００１９】
本発明はまた、このような箱の獲得を可能にするブランクを提案する。
【００２０】
本発明はまた、特に、側壁、上壁、及び箱の底部を形成する下壁を備え、上壁が、直線ではなく及び／又は折り曲げ線を形成する残りの線と一直線でない線の少なくとも１つの区分を呈する接合線を介して、隣接した側壁の頂部に取り付けられる少なくとも１つのフラップによって、並びに前記箱の形成の際に箱の頂部の表面に対して突出した凸部分を形成するように、非直線の線の前記部分の直接上に又は実質的に上に及び非直線の線の前記部分に近接して前記フラップに部分的にカットアウトされた少なくとも１つの部分によって、形成され、ベースが、前記凸部分上に直接位置し前記凸部分と相補的な形状を有した対応する穴の開いた表面の少なくとも１つの部分を含むことを特徴とする、多角形断面を有した箱を形成することを目的とする段ボールシート材料製のブランク又はブランクのセットを提案する。
【００２１】
「に近接して」という表現は、例えばボードの厚さの２分の１と３との間の距離で、又は数ミリメートル、例えば折り曲げ線から５mmと１５mmとの間で凸状構成を採るために、部分的にカットアウトされた部分の折り曲げ時の形状が影響を受けるように十分に近いことを表示することを目的とする。
【００２２】
有利には、ブランクは、ベースの下壁を形成する４つのフラップを備え、上壁は、箱の形成の際に凸部を構成するために、ブランクの中央に対して対称な、少なくとも２つの部分的に切り出された部分を含む。
【００２３】
別の有利な実施形態では、ブランクの組は、箱の底部を形成するための第１のブランク、及び上壁を形成する第２のブランクを含み、前記上壁は、箱の形成の際に凸部を構成するために、第２のブランクの中央に対して対称である少なくとも２つの部分的に切り出された部分を含む。
【００２４】
有利には、ブランク又はブランクのセットは、ブランクの横軸に対して対称な、２つの部分的に切り出された部分の二組を含む。
【００２５】
有利には、ブランク又はブランクのセットは同様に、上壁の少なくとも一部を形成するための２つのフラップを含み、及び／又は前もって部分的に切り出される部分が、対応する折り曲げ線とは反対の側部へ頂面が向いた平坦化されたΩの形態の線によって上壁に切り出される。
【００２６】
本発明は、非限定的な例として以下に提供される実施形態の説明の精読により、より確実に理解されるであろう。説明は、以下の添付図面を参照する。
【図面の簡単な説明】
【００２７】
【図１】本発明の第１の実施形態によるブランクの、上からの平面図である。
【図１Ａ】図１の詳細である。
【図２】図１のブランクから得られる２つの箱の連結を示した斜視図である。
【図３】本発明の第２の実施形態によるブランクの、上からの平面図である。
【図４】本発明の別の実施形態による凸部を有した２つの箱の連結を示した上からの斜視図である。
【図５】本発明の別の実施形態による凸部を有した２つの箱の連結を示した上からの斜視図である。
【００２８】
発明の詳細な説明
この説明の全体にわたって、同一の要素又は類似の要素を指すために、可能な限り同一の参照番号が使用される。
【００２９】
図１は、矩形断面の箱を形成することを目的とした、例えば３mmの厚さを有する段ボールシート材料製のブランク１を示す。
【００３０】
ブランク１は、平行な折り曲げ線１１によって共に接続される中間パネル７、８、９、及び１０によって分離された４つの主要な壁、すなわちパネル３、４、５、６からなる帯を備える。
【００３１】
帯２はまた、その端部に、ブランクの他の縁に位置する中間パネル１０と接する接着舌状部１２を備える。
【００３２】
ブランク１は、二連のフラップ１３及び１４を備える。
【００３３】
より具体的には、ブランク１は、ブランクから形成される箱の表面全体を占める上壁を形成するために帯側に傾斜端部を有した側縁を呈する２つの同一で実質的に矩形なフラップ１５、及びフラップ１５と類似の形状を有した同様に互いに同一である２つのフラップ１６を備えた、連なり１３を備える。
【００３４】
フラップのそれぞれは隣接したパネルに、すなわちフラップ１５の場合にはそれぞれパネル３及び５に、フラップ１６の場合にはそれぞれパネル４及び６に、折り曲げ線又は折り目１７によって接続される。
【００３５】
２つのフラップ１６は、以下に説明される２つの矩形くり抜き部１８を折り曲げ線１７上に備える。
【００３６】
ここで特に説明される本発明の実施形態によれば、ブランクはまた、２つのタイプのフラップ、すなわち折り曲げ線２０によってパネル３及び５に取り付けられた、パネル７、８、９、１０によって形成されるカットされたコーナーに適合するためにより小さな角度を呈した側縁を有する実質的に矩形のフラップ１９、並びに折り曲げ線２２によってパネル４及び６に取り付けられた、フラップ１９と類似の形状のフラップ２１を含んだ、フラップの第２の連なり１４を備える。
【００３７】
折り曲げ線２２は、折り曲げ線を形成する３つの一直線部２４、２４’及び２４”に分けられる直線ではない及び／又は連続的に一直線になっていない接合線であり、後述されるように、箱を折り曲げる際に所望の凸形状をもたらす２つずつの非一直線部２５、２５’で分離される。
【００３８】
一度形成されると箱の凸部分を形成することが可能な、舌状部２６が提供される。舌状部２６は、頂部が箱の外側に向いた平坦化されたΩの形態で線２７により対応するフラップ２１に前もって切り出された部分によって構成される。
【００３９】
突出することを目的とするこれらの舌状部２６上に直接かつ舌状部２６と向かい合って位置するフラップ１６によって形成されるベースには、相補的な形状を少なくとも部分的に呈し、箱の形成の際に凸部に嵌合され得る矩形のくり抜かれた部分１８が存在する。
【００４０】
凸部の嵌合を可能にするために、くり抜き部１８の側部の１つは、例えば０mmとｅとの間の値で、例えば５mm又は１mmの距離で折り曲げ線１７と僅かに重なり合う。
【００４１】
図１Ａは、折り曲げ線２２の部分２４、２４’と２５との間のずれｅを示す凸部分を形成することを目的とした部分の拡大図である。
【００４２】
Ωの形状における３つの辺で前もって切り出された矩形状の舌状部２６は、部分２８によってフラップの残余につながり、折り曲げ線２４と実質的に平行な、ここではΩの縁の間の距離ｈは、例えば、ボードの厚さの１．５倍〜３倍に等しく、例えば３〜８mmの間の範囲、例えば５mmである。
【００４３】
これらの配置により、特定の凸形がもたらされる。
【００４４】
図２は、嵌合位置で一方がもう一方の頂部に積み重ねられる２つの箱３０及び３１を示す。
【００４５】
上の箱３０は４つのくり抜き部１８を備え、くり抜き部１８は、くり抜き部１８がその上に直接位置し、線又は折り目２５のずれにより得られる凸部分３２を形成する舌状部２６と相互作用し、このずれが、フラップの閉鎖と同時に、前もって切り出された舌状部２６を僅かに持ち上げる。
【００４６】
図３は、フラップ２０の中央に配置された単一の舌状部２６を有し及びフラップ１６毎に追加的なくり抜き部１８を有した、８つの側部を備えるブランク３３の別の実施形態を示す。
【００４７】
これらの矩形くり抜き部のそれぞれは、対応する折り曲げ線１７上に及び／又は折り曲げ線１７を僅かにまたがって、例えば段ボールの厚さの３分の１又は２分の１前記折り曲げ線１７を越えて、前もって切り出された側部を備える。
【００４８】
図４及び図５は、全体として（又は部分的に）上部カバー壁を形成するフタＣ、及び下壁を形成する下部プレートＰを利用した、本発明の別の実施形態によって製作される一対の平行六面体箱３４、３４’の別の例を示す。凸部分３５は、この場合には、実質的に矩形状を呈する代わりに、円の一部分としての丸みを帯びた形状を呈し、したがって、同様に円（例えば半円）の一部分の形状である相補的な形状のくり抜き部３６と相互作用する。
【００４９】
本発明による箱を形成する方法が、図１及び図２を参照してここで説明される。
【００５０】
図１のブランク１から出発し、箱は、横面を折り曲げることによって形成される。
【００５１】
これを実行するために、箱は、舌状部１２に接着剤を塗布した後に、例えば形成される箱と相補的な形状の心軸の周囲に、長手方向の横面３、４、５、６を折り曲げることによって、及び続いて前もって接着剤が塗布されたフラップ１５を折り曲げ、次いで、接着により上に固定されるように、フラップ１５の外側にフラップ１６を当てることによって、自動的に形成される。
【００５２】
続いて、箱を満たした後、上壁が、前もって接着剤が塗布されたフラップ１９を最初に折り曲げ、次いでフラップ１９上に、対応する折り曲げ線２２について折り曲げられるフラップ２０を当てることによって、閉鎖される。
【００５３】
形成時の折り曲げ中、線２４、２４’２４”の線２５、２５’とのずれは、舌状部又は前もって切り出された部分２６の、凸状の又は僅かな持ち上げの効果を構造的にもたらす。
【００５４】
この凸状の効果は、箱の上面の表面に対して突出又は僅かな突起（例えば２〜１０mm）を与え、箱の底の穴の開いた表面又はくり抜き部１８に嵌合するように準備された中央揃え要素の生成を可能にする。
【００５５】
段ボールの単位面積当たりの重量及び厚さに応じて、当業者が（特に箱に配置される製品の重量により）箱の利用に応じて適合させることが可能な、多少明白なばね効果が得られる。
【００５６】
したがって、この種の嵌合により、箱間の優れた安定性が、容易に得られる。
【００５７】
想定されるように、及び以上のことから、本発明は、特にここで説明される実施形態に制限されない。却って、本発明は、特に、凸部分の形状が異なる変形例、フラップ又は舌状部が、隣接したフラップに又は外側で横面に接着された台形又は矩形であり、切断部を備えた８つの側部を有する箱及び／若しくは４つの側壁を単純に有する箱と関連した形状を呈する変形例、又は、同様に、底が単一の部品から形成され、箱の上部が４つのフラップから形成されるか、又はその逆の場合、単純な外部の横方向の牽引によって、容易であるか否かを問わず、一方からもう一方を分離させることが可能な、接着及び／又は舌状部の嵌合により上部が固定されるプレートを形成する下部に嵌合されるか、又は下部を覆うフタによって、箱の上部が形成される場合などの、すべての変形例を包含する。
【図１−１Ａ】
2015519268.tif 000003
【図２】
2015519268.tif 000004
【図３】
2015519268.tif 000005
【図４】
2015519268.tif 000006
【図５】
2015519268.tif 000007
【国際調査報告】
2015519268.tif 000008
2015519268.tif 000009
2015519268.tif 000010
2015519268.tif 000011
2015519268.tif 000012
2015519268.tif 000013